(57)【要約】掃除労働の軽減化と消費電力の低減である静電気集塵装置の掃除機【課題】箒の柄を軽金属パイプ２６でホースを固着しキャスター２７を取り付け、集塵部４の静電発生装置７で該静電気モーター駆動で静電気の起電とし、カートリッジ集塵１１には静電気集塵部９になり、静電気構造体８が違い違いの中空体２０として固定され、プラス静電帯１３とマイナス静電帯１４の静電力が吸塵の通風力や通風量に対応する静電帯吸塵になり、該カートリッジ集塵１１の流体静電気フィルター１５でも静電力の静電帯と収縮集塵管２１の取り付けである。【解決手段】軽金属パイプ２６の箒であり、掃除機１の重心が下方のモーメントになり、モーター駆動の消費電力が少なく、静電発生装置７での回転８駆動の静電気起電力と、箒清掃での吸塵ゴミがカートリッジ１１の密閉された静電気構造体８での静電気された静電帯吸塵になる。カートリッジは洗清掃も出来る。【選択図】図１
2004008782.tif 000002
【特許請求の範囲】
【請求項１】
外箱（１）に集塵部（４）を介して、静電気集塵装置（９）を取り付け、前記静電気集塵装置（９）の集塵部（４）に流体静電気フィルター（５）を取り付け、前記流体静電気フィルター（１５）に静電気発生装置（７）を取り付けた掃除機吸塵の静電気集塵装置。
【請求項２】
静電気発生装置（７）に流体静電気フィルター（１５）を備え、該静電帯接続を取り付けた請求項１記載の掃除機吸塵の静電気集塵装置。
【請求項３】
集塵部（１４）の集塵に静電気発生装置（７）を備え、この静電気発生装置（７）に収縮集塵管（１９）での流体静電気フィルター（１５）を取り付けた請求項２記載の掃除機吸塵の静電気集塵装置。
【請求項４】
静電気発生装置（７）にたがい違いの流風の静電気構造体（８）を備え、この静電気発生装置（７）に静電気のプラス静電帯（１３）とマイナス静電帯（１４）の静電帯接続を取り付けた請求項２記載の掃除機吸塵の静電気集塵装置。
【請求項５】
掃除機（１）の該吸塵ホース（１６）の中心に断面十字型状の静電気発生装置（７）を備え、この静電気発生装置（７）のホース内部に十字型固定のプラス静電気帯（１８）を取り付けたホーキホース（２）備えの請求項２記載の掃除機吸塵の静電気集塵装置。
【請求項６】
吸塵の静電気集塵装置（９）のフィルターに流体静電気フィルター（１５）よりなる静電気構造体（８）を設けた請求項１、２又は４記載の掃除機吸塵の静電気集塵装置。
【請求項７】
ホーキホース（２）を取り付けた吸塵ホース内部に静電気帯備えの掃除機吸塵の静電気集塵装置。
【請求項８】
集塵部（４）にカートリッジ集塵（１１）の流体静電気フィルター（１５）備えの掃除機吸塵の静電気集塵装置。
【請求項９】
流体静電気構造体（８）で、たがい違いの流体静電気フィルター（１５）の静電構造体（８）であり、かつたがい違いの中空体（２０）の複数に区分した請求項８記載の掃除機吸塵の静電気集塵装置。
【請求項１０】
流体静電気フィルター（１５）に収縮集塵管（１９）である請求項９記載の掃除機吸塵の静電気集塵装置。
【請求項１１】
静電気発生装置（７）の回転構造体（２１）備えの請求項９、１０記載の掃除機吸塵の静電気集塵装置。
【請求項１２】
流体静電気構造体（８）に静電気発生装置（７）を取り付けた請求項９、１０又は１１記載の掃除機吸塵の静電気集塵装置。
【請求項１３】
流体静電気構造体（８）にたがい違いの中空体（２０）の複数に区分した集塵部（４）に回転構造体（２１）の静電気発生帯を取り付け、プラス静電帯（１３）とマイナス静電帯（１４）がたがい違いの流風路形成の密閉構造の集塵とし、さらに流体静電気フィルター（１５）に、収縮集塵管（１９）を備えることの集塵を特徴とする請求項９、１０記載の流体静電気集塵装置の製造方法。
【発明の詳細な説明】
【０００１】
【発明の属する技術分野】
本発明は、集塵に静電気発生装置により静電帯発生される流体静電気構造体を備えた掃除機における吸塵の静電気集塵装置並びに該装置に用いる流体静電気フィルター及びその製造方法に関する。
【０００２】
【従来の技術】
従来の掃除機においては、ポットタイプでは駆動部分を上層位置で下部がゴミ容器にしてある。
【０００３】
【発明が解決しようとする課題】
従来の掃除機にあっては、掃除機本体外にかかる力のバランスや該制約作業範囲になり、回転移動のなめらかに不足し、消費電力のパワーもそれなりに増幅し、小さなほこり・ハウスダストは舞いあがったりして、清掃の負担も大きくなったりして、あらたまった掃除での労働が発生するなどの問題点があった。
【０００４】本発明は、掃除の姿勢が立清掃に近く、多少のほこりは静電気発生装置における静電帯によって、流体静電気構造体の流帯静電帯としての掃除機吸塵の静電気集塵装置を得ることを目的としており、さらに該装置に用いられる静電気発生装置の取り付けが容易であり、流体静電帯のより流体静電気フィルター及びその製造方法を提供することを目的としている。
【０００５】
【課題を解決するための手段】
上記目的を達成するために、本発明の掃除機においては、掃除機の外箱に集塵部を介して、静電気集塵装置を取り付け該集塵部に流体静電気構造体を備えるとともに該静電気発生装置を取り付けたものである。
【０００６】上記静電気発生装置を取り付ける位置は、掃除機の適当な箇所とすることが可能であるが、後述する理由により特に掃除機の上部に取り付けることが効果的である。
【０００７】また、静電気発生装置を取り付けるために、掃除機の上部に断面長方形状の静電気発生装置の取り付け部を形成し、この取り付け部にカートリッジタイプの吸塵を取り付けたり、掃除機の上部に流体静電気フィルターのカートリッジの取り付け部を形成し、この取り付け部に静電気発生装置からの静電帯を取り付けるか、掃除機の流体静電気をフィルター各層の大きい穴から縮小穴の異位の流体構造の流風量減少の流体静電気フィルターの取り付部を形成し、この取り付部にカートリッジタイプの流体静電気構造体のフィルターを取り付けるとよい。
【０００８】また、静電気集塵装置には静電気発生装置からの静電帯の取り付けで、ガラス製の円筒成形か、中空体を合成樹脂の回転形成、例えば静電帯量の大きな、絹、ネルを回転形成したものを用いる。なおプラスチック、合成樹脂羽根の回転の静電気帯接続とすることが好ましい。
【０００９】さらに、静電気発生装置はホーキホースと本体の接続パイプに静電帯接続し、流体の静電気構造の流風中空体として、左右の回転子ブラシからの起電の静電気装置からの静電帯接続として備えることができる。
【００１０】そして、前記掃除機吸塵の静電気集塵装置に流体静電気構造体の、たがい違いの中空体通路の左右組合せ形状で、該構造体の左右には回転発生の静電気発生装置を備え、当該出口にさらにプラス静電帯とマイナス静電帯の交互形成の流体静電気フィルターとして、多数の異なる位相の収縮集塵管の形成構造や、当該カートリッジ形成の流体静電気をフィルターとする製造方法がある。
【００１１】
【発明の実施の形態】
上記のように構成された、静電気集塵装置に静電気発生装置からの静電帯に静電気を発生させると、ガラス・プラスチックの円筒と絹・ネル・合成樹脂のブラシの回転子によって静電量が発生し大きな静電容量が静電帯を介して、たがい違いの中空体の隘路形成の通風力が制限されて、流体静電気フィルターでの収縮集塵管の通風量が制限されるように構成されている。
【００１２】そして、上記した理由から違い違いの隘路の静電気集塵部の中空体は、吸塵の通風力や通風量に対応して、しかし静電容量は大きい程有効であり、静電気容量はそれ自体一定の安定した静電容量のものが好ましい。
【００１３】また、静電気集塵装置の集塵は部分としてのカートリッジ集塵の内部にはプラス静電帯とマイナス静電帯の交互形成の流体静電気フィルターとしても、位相穴における収縮集塵管の構造になり、通風量の制限に対応した流体静電気フィルターとして、静電帯の集塵をカートリッジ集塵容器に収めることができる。
【００１４】
【実施例】
実施例について図面を参照して説明すると、１図（ａ）においてホーキホース２の最上端にホースの取り付けであり、下部のホーキのブラシは長方立体の中空体の形成の集塵ホーキである。１図（ｂ）の実施例では、掃除機１の吸塵に集塵部４を備え、静電気発生装置７の形成になり、該駆動モーター６の回転駆動の静電気発生の回転構造体２１の備えで、円筒静電気帯のプラス静電気帯とマイナス静電気１４の静電気起電力となり、静電帯構造８と絶縁１８体の形成の違い違い中空体２０からの集塵備えの流体静電気フィルター１５の取り付けになる。
【００１５】２図に示される実施例では、ホーキホース２は下部のホース吸塵の吸入の備えと、ホーキはブラシ長方立体の中空体形成で、ポースパイプを挾むようになるホーキ備えである。図（ｂ）は全体がカートリッジ集塵１１の静電気集塵部９であり、該カートリッジ集塵１１の内部はホース出口からの集塵を介して、静電気構造体８を形成し絶縁１８のゴム耐静電と静電気帯の違い違いの中空体２０は順次狭路としての、ゲージ固定化の隙間の形成の取り付けであり、吸塵空気は隘路の中空体の静電帯で、プラス静電帯１３とマイナス静電帯の流体静電気フィルター１５の静電帯構造の収縮集塵管１９取り付けである。
【００１６】４図（ａ）に示される実施例では、集塵部１７を備えたホース前部の斜傾している吸塵具であり、４図（ｂ）は集塵部４のカートリッジ集塵１１取り付けで、内部は絶縁１８のゴム備えの静電気帯の流体静電気フィルター１５の静電気集塵部９になり、中空体での静電帯取り付けは順次狹路のゲージ化固定の隙間を形成し、集塵の通風量と当該静電気構成能力にもなり、集塵孔の異なるプラス静電帯１３とマイナス静電帯１４での流体静電気フィルター１５の吸塵が出口に向っての収縮集塵管１９形成の取り付けになる。
【００１７】５図（ａ）（ｂ）（ｃ）（ｄ）は、前記カートリッジ集塵の内部に、中空体の静電気構造体の組立形成の静電気集塵部と流体静電気フィルターの構造体の製造工程を示すもので、この製造工程は、
【００１８】（イ）第一工程（５図（ａ））：立方体に密閉されて、絶縁１８ゴムを備えて、電極が固着体２６で固定され、プラス静電帯１３とマイナス静電帯１４の組立中空体になり、該中空体が固定子ゴムを間にして、セットされる静電帯電極の取り付け工程。
【００１９】（ロ）第二工程（５図（ｂ）（ｃ））：立方体に密閉されて、合成樹脂・プラスチックによるプラス静電帯１３とマイナス静電帯１４の収縮集塵管１９は前方突出のパイプ（細穴）の静電帯集塵備えの集塵容器を取り付ける工程。
【００２０】（ハ）第三工程（５図（ｄ））：その後上部に蓋をする工程
からなる。
【００２１】
【発明の効果】
本発明は、以上説明したように構成されているので、以下に記載されるような効果を奏する。
静電気集塵装置を掃除機に取り付けることにより、フィルターの目づまりなどでのパワー電力を抑制し、ホーキホースの回転移動がすみやかになり、静電気帯の起電が円滑にできる。
【００２２】そして、静電気発生装置を掃除機の上部に取り付けることにより、該モーター駆動が下部になるから、重心が安定し吸塵ホースに取り付けられたキャスターはさらに回転が容易になり、ホーキホースのモーメントと共に掃除労働がより有効になる。
【００２３】さらに、電気発生装置を掃除機に取り付けるために、丸型機能の半分以上の左右に静電気モーターからなる回転駆動起電力の（ガラス、プラスチックの円筒と絹・ネル・合成樹脂）からの静電帯羽取り付けの構成を採用することによって掃除機の丸型は静電気発生装置を有効にすることができるので掃除機全体を小型にすることができる。
【００２４】また、中央の部分にカートリッジ集塵の静電気集塵部を形成し、吸塵ホースからの吸塵を配管し、カートリッジ集塵の容器は密閉の静電気構造体として、違い違いの中空体の形成になり、さらに流体静電気フィルターを密閉する構成を採用することによって、単体の流体静電気フィルターのみの保守になり、収縮集塵穴はプラスチック成形ともすることができるので、流体静電気フィルターを簡単に製造することができる。
【００２５】また、静電気集塵部の全体をカートリッジ集塵の形成とすることもでき、パワー電力抑制の小型モーターでの静電気発生装置の回転駆動によって、静電気起電力容量を得ることの取り付けの構成を採用することによって、モーター駆動はひとつになって、当該静電気起電力の容量が主になり消費電力は少なくて済み製造も容易になる。
【００２６】また、流体静電気フィルター部分をカートリッジ集塵形成ともすることができ、入口の集塵からプラスチック、合成樹脂の静電気帯の大きい材料加工での収縮集塵管、取り付けのプラス静電帯とマイナス静電帯が絶縁ゴム備えの、違い違いのスペースが集塵蓄積構造の静電帯プラスチック集塵は取り付けも簡単で製造も容易である。
【００２７】さらに、流体静電気フィルターの吸塵力や吸塵量に対応しての当該静電気発生の起電力容量の構成にもなるが、静電力に対応しての吸塵を静電帯に留めておく集塵蓄積構造として収縮集塵は、パイプ突出集塵穴を設けることによって、プラス静電帯に対応する吸塵容量が得られる。
【００２８】そして、前記掃除機吸塵の静電気集塵装置に流体静電気構造体の、違い違いの中空体通路の左右組合せ形状で、該構体の左右には回転発生の静電気発生装置を備え、当該出口にさらにプラス静電帯とマイナス静電帯の交互形成の流体静電気フィルターとして、多数の異なる位相の収縮集塵管の形成構造や、当該カートリッジ形成の流体静電気フィルターとする製造方法がある。
【００２８】
【図面の簡単な説明】
【図１】（ａ）はホーキホースの箒の柄の軽金属パイプの縦断面図である。
（ｂ）は掃除機の縦断面図である。
【図２】（ａ）は箒の柄の下部に曲りホース取り付けの一部縦断面図である。
（ｂ）は静電気集塵部の静電気構造体のカートリッジ集塵の横断面図である。
【図３】（ａ）吸塵ホースに静電気帯接続を備えのホースの一部縦断面図である。
（ｂ）静電気発生装置の回転構造体とカートリッジ集塵の横断面図である。
【図４】（ａ）アルミ、軽合金の集塵部備えの清掃具の正面図である。
（ｂ）カートリッジ集塵の収縮集塵穴のパイプ管、備えの流体静電気フィルターの斜視図である。
【図５】（ａ）（ｂ）（ｃ）（ｄ）はカートリッジ集塵の製造工程を示す図である。
【符号の説明】
１‥‥掃除機
２‥‥ホーキホース
３‥‥ホース
４‥‥集塵部
５‥‥モータ
６‥‥静電気モータ
７‥‥静電気発生装置
８‥‥静電気帯構造
９‥‥静電気集塵部
１０‥‥静電帯羽
１１‥‥カートリッジ集塵
１２‥‥パイプ管
１３‥‥プラス静電帯
１４‥‥マイナス静電帯
１５‥‥流体静電気フィルター
１６‥‥吸塵ホース
１７‥‥ホースプラス静電帯
１８‥‥絶縁ゴム
１９‥‥収縮集塵穴
２０‥‥違い違い中空体
２１‥‥回転構造体
２２‥‥車
２３‥‥吸塵入口
２４‥‥吸塵出口
２５‥‥静電気接続
２６‥‥軽金属パイプ
２７‥‥キャスター
【図１】
2004008782.tif 000003
【図２】
2004008782.tif 000004
【図３】
2004008782.tif 000005
【図４】
2004008782.tif 000006
【図５】
2004008782.tif 000007